(57)【要約】【課題】調味料取引において顧客のし好を最大限に優先し、取引のスピードを格段に早める、調味料販売支援方法を提供する。【解決手段】調味料販売支援方法は顧客側パーソナル・コンピュータ（ＰＣ）からヴェンダ・サーバにインターネットを介してデータの表示を要求し（１０１）、データ表示要求に従ってヴェンダ・サーバでデータベースを参照して調味料、パッケージおよびラベルデータを生成し（１０２）、得られたデータをインターネットを介してＰＣに伝送し（１０３）、表示された各データに基づいてそれぞれ好みの調味料、パッケージおよびラベルを選択し（１０４）、選択された各データをインターネットを介してヴェンダ・サーバに伝送し（１０５）、選ばれた各データを統合して１つの製品データ生成する（１０６）ステップからなる。【選択図】  図２
2005010898.tif 000002
【特許請求の範囲】
【請求項１】
顧客側情報処理手段からヴェンダ側サーバにインターネットを介してデータの表示を要求するステップ、このデータ表示要求に従って前記サーバで調味料、パッケージおよびラベルに関係するデータベースを参照して調味料、パッケージおよびラベルデータを生成するステップ、得られたデータを該インターネットを介して前記情報処理手段に伝送するステップ、表示された調味料、パッケージおよびラベルデータに基づいてそれぞれ好みの調味料、パッケージおよびラベルを選択するステップ、選択された調味料、パッケージおよびラベルデータを該インターネットを介して前記サーバに伝送するステップ、選ばれた前記調味料、パッケージおよびラベルデータを統合して１つまたはそれ以上の製品データを生成するステップを含む、調味料販売支援方法。
【請求項２】
前記サーバから前記情報処理手段にインターネットを経由して製品データを伝送するステップを含む、請求項１記載の調味料販売支援方法。
【請求項３】
調味料、パッケージおよびラベルデータを格納したデータベースと、前記データベースに調味料、パッケージおよびラベルデータを登録する登録手段と、顧客からのデータ表示要求に従って前記データベースを参照して調味料、パッケージおよびラベルデータを生成する処理手段と、顧客により選ばれた調味料、パッケージおよびラベルデータを含む、データに基づいて１つまたはそれ以上の製品データを生成する処理手段とを備える調味料販売支援装置。
【請求項４】
オーダ番号および顧客番号を付与するデータ処理手段を備える請求項３記載の調味料販売支援装置。
【請求項５】
顧客情報および購入代金請求に関する情報を処理する顧客管理手段を備える請求項３記載の調味料販売支援装置。
【請求項６】
製品データを格納する記憶手段を備える請求項３記載の調味料販売支援装置。
【請求項７】
蓄積された製品データを保存する外部記憶手段を備える請求項３記載の調味料販売支援装置。
【請求項８】
インターネット介して受注者側サーバに保存されたパッケージ用ラベルデータに発注者側情報処理手段からアクセスしてパッケージ用ラベルを受発注する方法であって、前記発注者側情報処理手段から受注者側サーバにラベルデータ、ラベル書き込みデータおよびフォントデータの表示を要求し、ラベルについて、雛型によるか、顧客指定ラベルによるかを決定し、雛型によるときは、ラベル雛型を表示させ、表示させたラベル雛型から１つを選択し、顧客指定ラベルによるときは、プライベート・ラベルを指示し、ラベル書き込みについて、雛型によるか、顧客指定書き込みによるかを決定し、雛型によるときは、書き込み雛型を表示させ、表示させた書き込み雛型から１つを選択し、顧客指定書き込みによるときは、プライベート書き込みを指示し、フォントについて、フォント例によるか、顧客指定フォントによるかを決定し、フォント例によるときは、フォント例を表示させ、表示させたフォント例から１つを選択し、顧客指定フォントによるときは、プライベート・フォントを指示するパッケージ用ラベル受発注方法。
【発明の詳細な説明】
【０００１】
【発明の属する技術分野】
本発明はデータベースに保存される調味料データから好みの調味料を選び、これを好みのパッケージに入れ、そのパッケージに好みのラベルを貼って販売する、顧客のし好を最大限に優先して取引きするようにした調味料販売支援方法および調味料販売支援装置に関する。また、本発明はパッケージ用ラベル受発注方法に関する。
【０００２】
【従来の技術】
いつの時代も、食生活の中心にある調理品には栄養素の摂取および安全性を重視する立場が求められるのは周知の通りである。一方、一人ひとりの生活習慣やし好を無視することは、たとえば、健康な、あるいは病気療養中の人の食欲を低下せしめ、場合によっては楽しいはずの食事を不快に思わせてしまう、状況も起こり得る。このため、一人ひとりの生活習慣およびし好に重きをおく立場も、上記立場に優るとも劣らず重要と捉えられている。一人ひとりの生活習慣およびし好に合う調理品を得るにはどのような食品および調理法を用いるにしても、調理品あるいは食品に好ましい味、香り、風味を付与する調味料が大きな役割を担う。
【０００３】
ところで、この調味料は極めて多くの種類が知られている。代表的なものはソース、しょうゆ、食塩、食酢、みりん、辛味調味料、だし、調味ソース、トマト加工品、ドレッシング、みそ、ルウ、清酒などである。これらの調味料製品は、たとえば、手軽に扱え、保存に適した様々な包装用容器などに詰めて販売されている。
【０００４】
一般に、調味料は消費者一人ひとりの生活習慣、し好などに合わせるために同じ種類の調味料でも味、香り、風味などに微妙に変化を持たせることが多く、結果として、市場に極めて多岐にわたる製品が出回ることになる。たとえば、和食料理に欠かせない、しょうゆの例では同じ製造者が、たとえば、味、香り、風味などを微妙に少しずつ変えて２０種類以上もの製品を流通させている。
【０００５】
【発明が解決しようとする課題】
多種、多岐にわたる調味料はし好性の高い食品で、グルメブームのもとで一段と販売量が大きく伸びることが期待されている。しかしながら、販売手法の拙さもあり、現状、販売量の伸びは高が知れている。旧来の電話、ファクシミリなどを利用する、よく馴染んだ販売手法は取引のスピードに欠けており、早晩こうした手法を販売の中心には置けなくなることも考えられる。
【０００６】
一方、従来手法では、消費者の立場でも、多種、多岐にわたる調味料を不確かな情報で選ぶことを強いられ、本当に好みの調味料であるのか、判らないことが少なくない。販売者が正確な情報を提供し、調味料の購入をさらに助けることも、急ぎ取り組む必要がある。
【０００７】
インターネットを利用する取引が様々な分野で取り入れられている。この販売手法を調味料分野に取り入れるならば、その特徴である、双方向性から取引のスピードをさらに早めることができる。一方、消費者にはより正確な情報を提供することが可能になり、顧客が自己の生活習慣あるいはし好に合う、真に購入したい調味料を入手することができる。しかしながら、現状、このような販売者および顧客の双方に利点のある利便性の高い販売手法は見出されてない。
【０００８】
本発明の目的は調味料取引において顧客のし好を最大限に優先し、しかも、取引のスピードを格段に早めることを可能にした調味料販売支援装置および調味料販売支援方法を提供することにある。
【０００９】
【課題を解決するための手段】
本発明に係る調味料販売支援方法は顧客側情報処理手段からヴェンダ側サーバにインターネットを介してデータの表示を要求するステップ、このデータ表示要求に従ってサーバで調味料、パッケージおよびラベルに関係するデータベースを参照して調味料、パッケージおよびラベルデータを生成するステップ、得られたデータをインターネットを介して情報処理手段に伝送するステップ、表示された調味料、パッケージおよびラベルデータに基づいてそれぞれ好みの調味料、パッケージおよびラベルを選択するステップ、選択された調味料、パッケージおよびラベルデータをインターネットを介してサーバに伝送するステップ、選ばれた調味料、パッケージおよびラベルデータを統合して１つまたはそれ以上の製品データを生成するステップを含むものである。
【００１０】
本発明に係る調味料販売支援方法においては顧客が選ぶ好みの調味料を顧客が選ぶ好みのパッケージに入れ、そのパッケージに顧客が選ぶ好みのラベルを貼って販売することが可能で、これにより、し好性の高い調味料をさらに多量に販売することが可能になる。
【００１１】
また、ヴェンダと顧客との間でインターネットを介してミスのない形で製品データをやり取りすることが可能で、取引のスピードを格段に早めることができる。
【００１２】
さらに、旧来の販売手法のように取引に多くの人が介在せず、無駄を排除することが可能であって、特に、調味料作製におけるリードタイムを短縮することができる。
【００１３】
また、本発明による調味料販売支援装置は調味料、パッケージおよびラベルデータを格納したデータベースと、このデータベースに調味料、パッケージおよびラベルデータを登録する登録手段と、顧客からのデータ表示要求に従ってデータベースを参照して調味料、パッケージおよびラベルデータを生成する処理手段と、顧客により選ばれた調味料、パッケージおよびラベルデータを含む、データに基づいて１つまたはそれ以上の製品データを生成する処理手段とを備えるものである。
【００１４】
また、本発明によるパッケージ用ラベル受発注方法はインターネット介して受注者側サーバに保存されたパッケージ用ラベルデータに発注者側情報処理手段からアクセスしてパッケージ用ラベルを受発注する方法であって、前記発注者側情報処理手段から受注者側サーバにラベルデータ、ラベル書き込みデータおよびフォントデータの表示を要求し、ラベルについて、雛型によるか、顧客指定ラベルによるかを決定し、雛型によるときは、ラベル雛型を表示させ、表示させたラベル雛型から１つを選択し、顧客指定ラベルによるときは、プライベート・ラベルを指示し、ラベル書き込みについて、雛型によるか、顧客指定書き込みによるかを決定し、雛型によるときは、書き込み雛型を表示させ、表示させた書き込み雛型から１つを選択し、顧客指定書き込みによるときは、プライベート書き込みを指示し、フォントについて、フォント例によるか、顧客指定フォントによるかを決定し、フォント例によるときは、フォント例を表示させ、表示させたフォント例から１つを選択し、顧客指定フォントによるときは、プライベート・フォントを指示するものである。
【００１５】
【発明の実施の形態】
本発明の一実施の形態について図面を参照して詳細に説明する。図１において、調味料を販売するヴェンダは多種、多岐にわたる調味料データを記憶した第１データベース１および調味料を詰める、あるいは保存する標準の容器データおよび標準のラベルデータを記憶した第２データベース２を備える。
【００１６】
第１データベース１はリレーショナル・モデル・データベースで構成され、テーブルに後記の項目を含む、複数の情報を有し、ユーザの求めに応じて調味料データを提供する。第２データベース２はリレーショナル・モデル・データベースで構成され、テーブルに後記の項目を含む、複数の情報を有し、ユーザの求めに応じて容器データおよびラベルデータを提供する。各データは変更または削除が可能で、常に最新の情報に更新することができる。この更新情報はヴェンダ・サーバ３から与えられ、第１および第２データベース１、２には常に最新のデータが記憶される。このヴェンダ側に備えられるヴェンダ・サーバ３はインターネット４と結ばれている。一方、図示のように、顧客側に備えられる情報処理手段、たとえば、パーソナル・コンピュータ（以下、ＰＣと称する）５がインターネット４と結ばれ、ヴェンダ・サーバ３はインターネット４を介してＰＣ５との間でデータをやり取りすることが可能である。
【００１７】
本発明の基幹ステップには次のステップを含む。図２において、初めに、顧客側ＰＣ５においてデータの表示を要求する（１０１）。次に、ヴェンダ・サーバ３においてデータ表示要求に従って調味料、パッケージおよびラベルに関係するデータベースを参照して調味料、パッケージおよびラベルデータを生成する（１０２）。次に、得られたデータをインターネットを介してＰＣ５に伝送する（１０３）。次に、ＰＣ５において表示された調味料、パッケージおよびラベルデータに基づいてそれぞれ好みの調味料、パッケージおよびラベルを選択する（１０４）。次に、選択された調味料、パッケージおよびラベルデータをインターネットを介してヴェンダ・サーバ３に伝送する（１０５）。次に、ヴェンダ・サーバ３において選ばれた調味料、パッケージおよびラベルデータを統合して１つまたはそれ以上の製品データを生成する（１０６）。
【００１８】
上記第１データベース１、第２データベース２およびヴェンダ・サーバ３の機能について詳述する。第１データベース１に記憶される調味料データは調味料品名毎に概略情報を与えるデータと、品名、固有名、製品性状、主な原料、製造者、単価などの項目を含む、詳細情報を与えるデータとからなり、表示方法を指定することによっていずれのデータも表示することができる。
【００１９】
詳細項目で表わす標準の調味料データの一例を図３に示す。主な属性について説明する。品名とは、たとえば、しょうゆ、食塩、食酢などの一般の名称のことであり、固有名とは、単一の調味料を他の調味料と区別する、特定名称あるいはブランド名称などを指し、製品性状とは、たとえば、液体、ゼリー状、顆粒などの性状を表わし、主な原料とは、たとえば、大豆、トマト、米などの食品素材のことであり、製造者とは調味料製造者名を表わし、単価は基準量あたりの価格のことである。
【００２０】
一方、第２データベース２に保存される容器データは外観見本を表わすグラフィックスと、品名、固有名、材質／色、容量、サイズ、単価などの項目を含む、詳細情報を与えるデータとからなり、表示方法を指定することで、どちらも表示することができる。
【００２１】
容器の見本について画面にイラスト表示した一例を図４に示す。一方、詳細項目で表わす標準の容器データの一例を図５に示す。主な属性について説明すると、容器名とは、ボトルなどの一般の名称を指し、固有名とは、単一の容器を他の容器と区別する、特定名称を指し、材質／色とは、ガラス、プラスチックなどの容器素材の区別と、透明、グリーン、ブラウンなどの着色の区別とを表わし、容量とは、たとえば、５００ｍｌ、１０００ｍｌなどの収容容積のことであり、サイズとは、容器の主要な寸法を表わし、単価とは、容器１個当たりの価格のことである。
【００２２】
また、第２データベース２に保存されるラベルデータはラベル雛型を表わすグラフィックスと、品名、フォーム、フォント、サイズ、貼付け方法、単価などの項目を含む、詳細情報を与えるデータとからなり、表示方法を指定することで、どちらも表示することができる。
【００２３】
ラベル雛型についてイラスト表示した画面の一例を図６に示す。一方、詳細項目で表わす標準のラベルデータの一例を図７に示す。主な属性について述べると、品名とは、調味料品名または固有名に従いラベルに付与した名称のことであり、フォームとは、角、円、長円形などのラベル形状による区別を表わし、フォントとは、ラベル表記の書体の区別を表わし、サイズとは、ラベルの概略の寸法を表わし、貼付け方法とは、シールか、糊付けかの区別を表わし、単価とは、ラベル１枚あたりの価格のことである。
【００２４】
一方、ヴェンダ・サーバ３は、図８に示すように、登録部６、データ処理部７、調味料処理部８、容器ラベル処理部９、プロダクツ処理部１０、記憶部１１および通信制御部１２を備える。
【００２５】
登録部６では標準の調味料、容器およびラベルの新規データがキーボードあるいはＣＤなどの記憶媒体を用いて入力され、第１および第２データベース１、２に登録される。また、各データを最新のものに改めるために更新データが、たとえば、記憶媒体で入力され、既存データと入れ替わってそこに保存される。
【００２６】
データ処理部７では顧客からインターネットを介して与えられるオーダ情報、顧客情報および参考情報が処理される。オーダ情報とは正式なオーダ情報について称し、ヴェンダ・サーバ３内のデータ処理での混同をなくすために調味料、容器およびラベルを通じて１つのオーダ番号が付与される。顧客に関する情報も、同様に、混同をなくすために一人の顧客に１つの顧客番号が付与される。参考情報は上記正式オーダ情報および登録顧客情報のいずれとも関係のない、他の情報について称する。
【００２７】
通信制御部１２はインターネット４と接続する通信回線を通して伝送される、ＰＣ５からの入力データを受信する。また、調味料、容器およびラベルデータ、製品データ、顧客データ、参考データなどのヴェンダ・サーバ３からの出力データを通信回線に送り出す。
【００２８】
また、ヴェンダサーバ３は顧客管理部１３および顧客データ記憶部１４を備える。顧客管理部１３では取引の信頼性とセキュリティとを確保するすべての顧客データを扱う。システム内での混同を起こさないために顧客データはすべて顧客番号および顧客名により管理される。
【００２９】
顧客データ記憶部１４に保存される顧客データは顧客番号毎に概略情報を与えるデータと、郵便番号、住所、電話番号、支払区分、カード番号、発行者などの詳細項目を含む、詳細情報を与えるデータとからなる。特に、支払区分は顧客登録時にパスワードと共に、図９に示す１．クレジットカード、２．銀行振込、３．コンビニ店頭、４．代金引換、５．その他を決定し、この条件のもとで取引が成立する旨の確約を負わせる。支払区分の変更は顧客からパスワードと共に、支払条件を変更する旨の変更情報が与えられた場合に限り、新データに書き替えられる。
【００３０】
ヴェンダ・サーバ３の調味料処理部８では顧客からのデータ表示要求に従って調味料データが生成される。容器ラベル処理部９では同様に顧客からのデータ表示要求で容器データおよびラベルデータが生成される。得られた調味料データはインターネット４を経由し、通信回線を通してＰＣ５に表示される。顧客は表示された調味料データから希望する１つまたは複数の調味料を選択し、その選ばれた調味料データをインターネット４を経由してヴェンダ・サーバ３に伝送する。
【００３１】
顧客側ＰＣ５において１つの調味料を選び出す手順について図１０に示すフローチャートを参照して説明する。初めに、調味料データの表示を要求する（１１１）。この調味料データは標準の調味料で、しょうゆ、ケチャップなどの品名で区分されたものである。メニュー画面が表示されたならば、メニュー画面の表示から、たとえば、“しょうゆ”フォルダを開く（１１２）。それぞれのフォルダは登録されたすべての調味料の詳細項目について表示が可能であり、詳細項目を見るためにこの品名フォルダを開いて詳細項目を表示する（１１３）。
【００３２】
標準調味料を見ることなく、好みの調味料を希望する場合にはメニュー画面の表示から指定調味料を選択する（１１４）。指定調味料とはし好を優先する自己専用、つまり、プライベート調味料のことであり、ユーザは自己の好みに従って味、香り、風味およびその他の要望事項を書き込むことができる。したがって、このプライベート調味料の購入を望むとき、ユーザは所定の欄に味、香り、風味およびその他の要望を書き込まなければならない（１１５）。
【００３３】
次に、調味料詳細項目が表示されたならば、詳細項目を一通り概観する。味、香り、風味などについて自己の好みに従い調味料を吟味し、選別する（１１６）。最後に最も好ましい調味料を１つ選択する（１１７）。
【００３４】
この調味料の選定において、もしも、好みの調味料が見出せないならば、標準調味料から選ばないことを決定する（１１８）。標準調味料からの不選出を決めたときはプライベート調味料を指定することを決定する（１１５）。
【００３５】
こうして、好ましい１つの調味料を決めることができる。上記手順は１つの調味料を選ぶ場合のものであるが、同時に複数の調味料を選ぶこともできる。
【００３６】
このような手順により、ＰＣ５の画面に表示された調味料データから購入したい１つまたは複数の調味料を選択し、そのとき、選ばれた標準の調味料または指定調味料データをヴェンダ・サーバ３に伝送する。
【００３７】
さらに、容器データがインターネット４を経由し、通信回線を通してＰＣ５に表示される。顧客はイラスト表示された容器から好みの容器であるかを確認しながら、調味料を詰め、あるいは保存するのための１つの容器を選択し、選定容器としてヴェンダ・サーバ３に伝送する。
【００３８】
１つの容器を選び出す手順について図１１に示すフローチャートを参照して説明する。初めに、容器データの表示を要求する（１２１）。容器データは標準の容器データである。メニュー画面が表示されたならば、メニュー画面中の表示から容器見本ビューアーを開く（１２２）。グラフィックスとして保存する容器見本ビューアーは登録されたすべての容器見本について表示することが可能で、このビューアーを開いて全容器見本を表示する（１２３）。
【００３９】
容器見本を見ることなく、好みの専用容器を調味料の充填に用いるときはメニュー画面の表示で指定容器を選ぶ（１２４）。指定容器とは登録から除かれている個人専用の容器について称し、このようなプライベート容器についての使用を望む場合、ユーザはプライベート容器を用意する、あるいは所有している場合は適当な容器を指示する旨を決定しなければならない（１２５）。
【００４０】
次に、容器見本が表示されたならば、容器見本を一通り概観する。自己の好みを優先して容器を選定するが、容量、性状などをよく踏まえて調味料にマッチする容器をよく見定める（１２６）。ここではメニュー画面の表示で容器フォルダを開き、詳細項目を確認することが可能である。最後に、最も好ましい容器見本を１つ選択する（１２７）。
【００４１】
この容器の選定において、仮に、好ましいものが容器見本の中に見出せないならば、容器見本から選び出さないことを決定する（１２８）。容器見本からの不選出を決めたときはプライベート容器を用意する、あるいは所有している容器を指示することを決定する（１２５）。
【００４２】
こうして、好ましい１つの容器を決めることができる。上記手順は１つの容器を選ぶ場合のものであるが、もちろん、同時に複数の容器を選ぶこともできる。
【００４３】
上記手順を経てＰＣ５の画面に表示された容器データから購入したい１つまたは複数の容器を選択し、そのとき、選ばれた標準の容器または指定容器データをヴェンダ・サーバ３に伝送する。
【００４４】
一方、ラベルデータがインターネット４を経由し、通信回線を通してＰＣ５に表示される。顧客はイラスト表示されたラベルから望ましいフォームであるか、また、好みのフォントであるかを確認しながら、１つのラベルを選択し、選定ラベルとしてヴェンダ・サーバ３に伝送する。
【００４５】
１つのラベルを選び出す手順についてフローチャートを参照して説明する。図１２において、初めに、ラベルデータの表示を要求する（１３１）。ラベルデータは標準のラベルデータに加えて、書き込みデータ、フォントデータおよびフォントサイズデータを含む。メニュー画面が表示されたならば、メニュー画面中の表示からラベル雛型ビューアーを開く（１３２）。グラフィックスとして保存するラベル雛型ビューアーは登録されたすべてのラベル雛型について表示することが可能であり、このビューアーを開いて全ラベル雛型を表示する（１３３）。
【００４６】
ラベル雛型を見ることなく、好みの専用ラベルを容器に貼り付ける場合にはメニュー画面の表示で指定ラベルを選ぶ（１３４）。指定ラベルとは登録から除かれている個人専用の容器用ラベルについて称し、このようなプライベート・ラベルについての使用を考えるユーザはプライベート・ラベルを用意する、あるいは所有している場合は何らかのラベルを指示する旨を決定しなければならない（１３５）。
【００４７】
次に、ラベル雛型が表示されたならば、ラベル雛型を一通り概観する。好みに合うか、否かも選定における大切な点であるが、容器の種別、サイズ、色などにも配慮してどれが容器とよくマッチするかを見定める（１３６）。ここではメニュー画面の表示でラベル・フォルダを開き、詳細項目を確認することも可能である。最後に、最も好ましいラベル雛型を１つ選択する（１３７）。
【００４８】
このラベルの選定において、仮に、好ましいものがラベル雛型の中に見出せないならば、ラベル雛型から選ばないことを決定する（１３８）。不選出を決めたときはプライベート・ラベルを用意する、あるいは所有しているラベルを指示することを決定する（１３５）。
【００４９】
次に、ラベル雛型を選んだ場合、あるいはプライベート・ラベルを用意または指示することを決めたとき、ラベルへの書き込みの有無を決める（１３９）。書き込みとは次のような記述を含む、ラベル記載内容のことである。
１）調味料名：  容器の内容物が調味料と判る記載＜たとえば、○○家の特製××ソースなど＞
２）コメント：  調味料、容器、ラベルに対する特別の説明など＜たとえば、結婚１０周年記念に特別注文で手に入れたマスタード、ラベルデザイン：山口××など＞
書き込み雛形を見るとき、書き込み用メニュー画面を表示し、メニュー画面中の表示から書き込み雛型ビューアーを開く。グラフィックスとして保存する書き込み雛型ビューアーは登録された書き込み雛型の表示が可能で、このビューアーを開いて全書き込み雛型を表示する（１４０）。書き込みを必要としない場合、選択されたラベル雛型が書き込みのないラベルとして決定される。
【００５０】
次に、書き込み雛型が表示されたならば、書き込み雛型を一通り概観する。好みに合うか、否か、ラベルに収まるか、否かをよく見定める（１４１）。最後に、最も好ましい書き込み雛型を１つ選択する（１４２）。
【００５１】
この書き込み選定において、仮に、好ましいものが書き込み雛型の中に見出せないならば、書き込み雛型から選ばないことを決定する（１４３）。不選出を決めたときはプライベート書き込みを用意する、あるいは所有している書き込みを指示することを決定する（１４４）。
【００５２】
図１３において、書き込み雛型を選んだ場合、フォント指定の有無を決める（１４５）。フォントはいわゆる書体のことで、先に選んだ書き込み雛型がこのフォントに従って印刷される。フォント例を見るとき、フォント用メニュー画面を表示し、メニュー画面中の表示からフォントビューアーを開く。グラフィックスとして保存するフォントビューアーは登録されたフォントの表示が可能で、このビューアーを開いてフォント例を表示する（１４６）。
【００５３】
次に、フォント例が表示されたならば、フォント例を一通り概観する。好みに合うか、否かをよく見定める（１４７）。最後に、最も好ましいフォント例を１つ選択する（１４８）。このフォント選定において、仮に、好ましいものがフォント例の中に見出せないならば、フォント例から選び出さないことを決定する（１４９）。不選出を決めたときはプライベート・フォントを用意する、あるいは所有しているフォントを指示することを決定する（１５０）。
【００５４】
次に、フォント例を選び出した場合、フォントサイズ例の指定の有無を決める（１５１）。フォントサイズ例を見るとき、フォントサイズ用メニュー画面を表示し、メニュー画面中の表示からフォントサイズ・ビューアーを開く。グラフィックスとして保存するフォントサイズ・ビューアーは登録されたフォントサイズの表示が可能で、このビューアーを開いてフォントサイズ例を表示する（１５２）。
【００５５】
次に、フォントサイズ例が表示されたならば、フォントサイズ例を一通り概観する。このサイズ指定ではラベル内に収まるか、否かをよく見定める（１５３）。最後に、最も好ましいフォントサイズ例を１つ選択する（１５４）。
【００５６】
このフォント選定において、仮に、好ましいものがフォントサイズ例の中に見出せないならば、フォントサイズ例から選び出さないことを決定する（１５５）。不選出を決めたときはプライベート・フォントサイズを用意する、あるいは所有しているフォントサイズを指示することを決定する（１５６）。
【００５７】
上記手順を経てＰＣ５の画面に表示されたラベルデータから購入したい１つまたは複数のラベルを選択し、そのとき、選ばれた標準のラベルまたは指定プライベート・ラベルデータをヴェンダ・サーバ３に伝送する。
【００５８】
再び図８に戻って、ヴェンダ・サーバ３ではプロダクツ処理部１１で顧客が選び出した調味料、容器およびラベルから１つの製品データが生成される。調味料、容器、ラベルデータはプロダクツ処理部１０において統合によって１つまたはそれ以上の製品データとして整理される。プロダクツ処理部１０では選ばれた調味料と選ばれた容器とのミスマッチを含む、入力ミスの有無が厳密にチェックされる。入力ミスは修正プログラムで自動的に改められ、１つまたはそれ以上の製品データが得られる。
【００５９】
得られた製品データは記憶部１１に保存される。また、この製品データは顧客管理部１３に与えられ、課税計算を含む、購入代金請求処理によって正式な購入金額が算出される。一方、製品データはデータ処理部２から通信制御部１３に伝送され、データ返送要求が指示された顧客についてはユーザのＰＣ５にこの製品データが伝送される。
【００６０】
このように本実施の形態においては顧客が選ぶ好みの調味料を顧客が選ぶ好みの容器に入れ、その容器に顧客が選ぶ好みのラベルを貼って販売することができる。したがって、従来の販売方法と比べてし好性の高い調味料をさらに多量に販売することが可能になる。
【００６１】
また、ヴェンダと顧客との間でインタネットを介してミスのない形で製品データをやり取りすることができ、取引のスピードを格段に早めることが可能になる。
【００６２】
さらに、取引に多くの人が介在せず、無駄を排除することが可能で、特に、リードタイムを短縮することができる。
【００６３】
本発明の異なる実施の形態を説明する。図１４において、ヴェンダ・サーバ１５は上記の実施の形態の構成に加えて、記憶管理部１６およびストレージ１７を備える。本システムが長期にわたり使用されるとき、製品データを一時的に保存する記憶部１１では、たとえば、１年などある期間を経過したとき、記憶部１１からデータを消去しなければならない。このような場合、蓄積した製品データを記憶部１１と別に設ける、製品データ保存用ストレージ１７に保存する。記憶管理部１６では記憶部１１から取得した製品データに保管番号を付与し、ストレージ１７に保存する。この保存データの詳細項目についてはオーダ番号、顧客番号などを含む、製品データに付随するデータをそのまま使用する。
【００６４】
本実施の形態においては顧客の調味料購入で得られたデータを一定期間保存するので、オーダ番号または顧客番号を検索キーとしてストレージ１７から呼び出すことが可能になる。これにより、製品データを得るうえで、同一データが繰り返し生成される無駄を省くことができる。したがって、リードタイムを一段と短縮すること可能で、リピート製品を素早く作製することが可能になる。
【００６５】
なお、本発明の顧客側に備えられるＰＣ５についてはオンラインでデータのやり取りが可能ないずれの端末装置で構成してもよい。
【００６６】
【発明の効果】
本発明によれば、顧客が選ぶ好みの調味料を顧客が選ぶ好みのパッケージに入れ、そのパッケージに顧客が選ぶ好みのラベルを貼って販売することができ、し好性の高い調味料をさらに多量に販売することが可能になる。
【００６７】
また、ヴェンダと顧客との間でインターネットを介してミスのない形で製品データをやり取りすることができ、取引のスピードを格段に早めることが可能になる。
【００６８】
さらに、旧来の販売手法のように取引に多くの人が介在せず、無駄を排除することが可能で、特に、調味料作製におけるリードタイムを短縮することができる。
【図面の簡単な説明】
【図１】本発明による調味料販売支援装置を示す構成図である。
【図２】本発明に係る調味料販売支援方法のステップを示すチャートである。
【図３】本発明に係る第１データベースに記憶される調味料詳細項目の一例を示すテーブルである。
【図４】本発明に係る容器見本のイラスト表示の一例を示す図である。
【図５】本発明に係る第２データベースに記憶される容器詳細項目の一例を示すテーブルである。
【図６】本発明に係るラベル雛型のイラスト表示の一例を示す図である。
【図７】本発明に係る第２データベースに記憶されるラベル詳細項目の一例を示すテーブルである。
【図８】本発明に係るヴェンダ・サーバの機能ブロック図である。
【図９】本発明に係る顧客データに関係する支払区分について説明するテーブルである。
【図１０】本発明に係る調味料選択手順を示すフローチャートである。
【図１１】本発明に係る容器選択手順を示すフローチャートである。
【図１２】本発明に係るラベル選択手順を示すフローチャートである。
【図１３】本発明に係るラベル選択手順を示すフローチャートである。
【図１４】本発明の他の実施の形態に係るヴェンダ・サーバの機能ブロック図である。
【符号の説明】
１…  第１データベース
２…  第２データベース
３、１５…  ヴェンダ・サーバ
４…  インターネット
５…  パーソナル・コンピュータ
６…  登録部
８…  調味料処理部
９…  容器ラベル処理部
１０…  プロダクツ処理部
１６…  記憶管理部
１７…  ストレージ
【図１】
2005010898.tif 000003
【図２】
2005010898.tif 000004
【図３】
2005010898.tif 000005
【図４】
2005010898.tif 000006
【図５】
2005010898.tif 000007
【図６】
2005010898.tif 000008
【図７】
2005010898.tif 000009
【図８】
2005010898.tif 000010
【図９】
2005010898.tif 000011
【図１０】
2005010898.tif 000012
【図１１】
2005010898.tif 000013
【図１２】
2005010898.tif 000014
【図１３】
2005010898.tif 000015
【図１４】
2005010898.tif 000016